(57)【要約】【課題】  クリティカルサスペンドからの復帰時の誤動作を防止する誤動作防止装置を提供する。【解決手段】  上記課題を解決するために、二次電池１から電圧値を検出する電圧検出手段２と、ＡＣアダプタ３により二次電池１が充電された時間を監視して所定の時間を経過するとシステム起動許可信号を出力する充電時間監視手段４と、電圧検出手段２で検出する電圧値と充電時間監視手段４で生成するシステム起動許可信号とに基づいてシステム電源を制御する電源制御手段５と、を備える。【選択図】図１
2007074866.tif 000002
【特許請求の範囲】
【請求項１】
二次電池の低電圧検出要因による電子機器の動作停止状態における前記二次電池の充電時間を計測する充電時間監視手段と、
前記二次電池の電池残量が所定の電池残量以上で、充電計測時間が所定時間を経過した場合にシステムに電源を供給する電源制御手段と、
を備えることを特徴とする誤動作防止装置。
【請求項２】
前記二次電池の電圧値を検出する電圧検出手段と、前記二次電池の電圧値と電池残量との関係を示す特性テーブルを備え、
前記電源制御手段は、前記特性テーブルを参照し前記電圧検出手段によって検出された電圧時の電池残量を取得することを特徴とする請求項１記載の誤動作防止装置。
【請求項３】
前記充電時間監視手段は、
前記二次電池の電圧値から前記動作停止状態を検出すると前記電子機器が復帰するまで検出信号を出力し続ける検出手段と、
ＡＣアダプタによる二次電池の充電を検出すると充電検出信号を出力する充電検出手段と、該充電検出信号が入力されている間に所定の時間までカウントすると、前記動作停止状態中であればシステム起動許可信号を出力するＡＣアダプタ充電時間監視手段と、
を備えることを特徴とする請求項１に記載の誤動作防止装置。
【請求項４】
前記二次電池の電圧と所定の基準電圧とを入力とし、前記二次電池の電圧が前記所定の基準電圧以上となると電圧安定信号を生成する安定電圧検出手段と、
該安定電圧検出手段が生成する電圧安定信号と、前記ＡＣアダプタ充電時間監視手段が生成するシステム起動許可信号と、を同時に検出した場合にはシステム起動可能であることを通知し、少なくとも一方を検出しない場合にはシステム起動が不可能であることを通知する通知手段と、
を更に備えることを特徴とする請求項３に記載の誤動作防止装置。
【請求項５】
電源制御装置で行われる電子機器の誤動作防止方法であって、
二次電池の低電圧検出要因による電子機器の動作停止状態における前記二次電池の充電時間を計測し、
前記二次電池の電池残量が所定の電池残量以上で、充電計測時間が所定時間を経過した場合にシステムに電源を供給する、
ことを特徴とする誤動作防止方法。
【発明の詳細な説明】
【技術分野】
【０００１】
本発明は、二次電池を備える電子機器において、クリティカルサスペンドからの復帰時に電池残量不足に起因した携帯端末等の誤動作を防止する誤動作防止装置に関する。
【背景技術】
【０００２】
二次電池を備える機器では、その電池残量を検出して電池残量が不十分若しくは二次電池への充電が不十分の場合には、当該機器の起動を抑止する機能が必要となる。
この機能を実現するために電池残量を検出する方式として、従来から、電源マイコン等で電流積算して電池残量を検出する方式が使用されているが、回路規模が大きくなりコスト高となっていた。
【０００３】
そのため、ノートＰＣ、ＰＤＡ、携帯電話等の携帯端末や電子機器では、電流積算を行なわず電池電圧のみで二次電池の電池残量を計算する方式が採用される場合が多い。
図６は、二次電池の電池電圧のみから電池残量を算出する誤動作防止装置の構成例を示している。図６に示す装置は、二次電池１からの電圧値をデジタル値に変換するＡＤＣ（Ａ／Ｄ  Ｃｏｎｖｅｒｔｅｒ）６と、ＡＣアダプタ３による充電が開始されたことを検出するＡＣアダプタ検出回路８と、システムの電源を制御する電源制御部６０と、を備えている。
【０００４】
電源制御部６０は、二次電池１の特性を表すテーブル、例えば、二次電池１の電圧値と電池残量との関係を示すテーブル（以下、「特性テーブル」という）を備え、ＡＤＣ６から二次電池１の電圧値が通知されると、特性テーブルを参照して電池残量を取得し、所定の電池残量に満たない場合には、システムの電源が入らないように制御する。
【特許文献１】特開昭６１−１９１２３５号公報
【特許文献２】特開平０６−０３５５７６号公報
【発明の開示】
【発明が解決しようとする課題】
【０００５】
しかし、図６に示した二次電池１の電池電圧のみから電池残量を算出する方式では、二次電池１の製造時の個体差から生じる電池特性のバラツキ等の理由から、電池残量を正確に算出することが難しい。そのため、二次電池１への充電が十分にできているか否かの判別を正確に行なうことが難しいという問題があった。
【０００６】
したがって、クリティカルサスペンドから復旧させるためにＡＣアダプタを接続して十分に二次電池１を充電をしたと判断した場合であっても、実際には二次電池１への充電が不十分である可能性がある。この場合、二次電池を電源として動作するシステムは、動作可能な電圧を得ることができないため誤動作が生じてしまうという問題があった。
【０００７】
ここで、クリティカルサスペンドとは、二次電池の電池残量が不十分となることにより、ノートＰＣ等の電子機器の突然のシステム停止によるデータ破壊等を防止するために、作業中のデータ内容を強制的にメモリに保存し、不要なデバイスの電源を切ることにより消費電力を低下させ機器を動作停止状態にする機能をいう。
【０００８】
特許文献１には、負荷の電圧特性を精確かつ連続的に検出可能な負荷特性検出装置について開示されている。また、特許文献２には、簡略な構成で確実なレジューム機能を実現するバッテリ駆動型電気機器装置について開示されている。
【０００９】
本発明は、上述した問題に鑑みてなされたものであり、その解決しようとする課題は、クリティカルサスペンドからの復帰時の誤動作を防止する誤動作防止装置を提供することである。また、二次電池の電圧のみから電池残量を算出する簡易な電源監視装置であっても、それを可能とする技術を提供する。
【課題を解決するための手段】
【００１０】
上記課題を解決するために、本発明に係る誤動作防止装置は、二次電池の低電圧検出要因による電子機器の動作停止状態における前記二次電池の充電時間を計測する充電時間監視手段と、前記二次電池の電池残量が所定の電池残量以上で、充電計測時間が所定時間を経過した場合にシステムに電源を供給する電源制御手段と、を備える。
【００１１】
本発明によると、電源制御手段は、電池残量が所定の電池残量以上、かつ充電計測時間が所定時間を経過した場合にシステムに電源を供給する。
したがって、二次電池の製造時の個体差から生じる電池特性のバラツキ等の理由から電圧検出手段で検出した電圧値から算出される電池残量に誤差が生じ、誤って所定の電池残量以上（すなわち、システム起動が可能な程度に電池残量がある）と判断した場合であっても、所定の時間経過するまではシステムに電源が供給されないこととなる。
【００１２】
すなわち、いわゆるクリティカルサスペンドからの復帰時の電圧低下による誤動作を防止することが可能となる効果を奏する。
また、本発明の誤動作防止装置を、二次電池の電圧値を検出する電圧検出手段と、前記二次電池の電圧値と電池残量との関係を示す特性テーブルを備え、電源制御手段は、前記特性テーブルを参照し前記電圧検出手段によって検出された電圧時の電池残量を取得するように構成する。
【００１３】
よって、二次電池の電圧から電池残量を算出する簡易な電源監視装置であっても、クリティカルサスペンドからの復帰時の電圧低下による誤動作を防止することが可能となる効果を奏する。
【発明の効果】
【００１４】
以上のように、本発明によると、二次電池の電圧のみから電池残量を算出する簡易な電源監視装置であっても、クリティカルサスペンドからの復帰時の誤動作を防止する誤動作防止装置を提供することが可能となる。
【発明を実施するための最良の形態】
【００１５】
以下、本発明の実施形態について図１〜図５に基づいて説明する。
図１は、本発明に係る誤動作防止装置の原理を示す図である。
図１に示す誤動作防止装置は、二次電池１から電圧値を検出する電圧検出手段２と、ＡＣアダプタ３により二次電池１が充電された時間を監視して所定の時間を経過するとシステム起動許可信号を出力する充電時間監視手段４と、電圧検出手段２で検出する電圧値と充電時間監視手段４で生成するシステム起動許可信号とに基づいてシステム電源を制御する電源制御手段５と、を備える。
【００１６】
充電時間監視手段４は、二次電池１の電圧値からクリティカルサスペンドか否かを判別すると共に、ＡＣアダプタ３による二次電池１の充電を検出する。そして、クリティカルサスペンドにおけるＡＣアダプタによる二次電池の充電時間を計測し、この計測時間が所定の時間を経過するとシステム起動許可信号を電源制御手段５に出力する。
【００１７】
電源制御手段５は、特性テーブルを備え、電圧検出手段２から電圧値が通知されると、特性テーブルを参照して電池残量（以下、「検出電池残量」という）を取得し、この検出電池残量が基準値以上か否かを判別する。そして、当該検出電池残量が基準値以上の場合であって、充電時間監視手段４からシステム起動許可信号を検出した場合のみシステム電源をＯＮ状態にすることを可能にする制御を行なう。
【００１８】
なお、システム電源とは、二次電池により駆動する機器の電源であって、本発明に係る誤動作防止装置を備える機器の主電源をいい、特に、ノートＰＣ、ＰＤＡ、携帯電話等の携帯端末や電子機器の主電源のことをいう。
【００１９】
また、システムとは、二次電池により駆動する機器、特には、ノートＰＣ、ＰＤＡ、携帯電話等の携帯端末や電子機器等のことをいう。
以上の構成において、電源制御手段５は、電圧検出手段２で検出した電圧値から得る検出電池残量が基準値以上、すなわち、二次電池に十分な電池残量があると判断される場合であっても、充電時間監視手段４が生成するシステム起動許可信号を検出するまでシステム電源をＯＮ状態にすることを防止する。
【００２０】
したがって、二次電池１の電池特性のバラツキ等に依存することなく、十分に電池残量がある場合のみシステム電源をＯＮ状態にすることが可能となるので、クリティカルサスペンドからの復帰時に電池残量不足に起因した電子機器の誤動作を防止することが可能となる。
【００２１】
以下、本発明に係る誤動作防止装置の具体例について説明する。なお、図２に示す本実施例において、電圧検出手段２はＡＤＣ６で実現される。また、充電時間監視手段４はクリティカルサスペンド検出回路７、ＡＣアダプタ検出回路８、及びＡＣアダプタ充電時間監視回路９で実現される。そして、電源制御手段５は電源制御部１０で実現される。
【００２２】
図２は、本発明に係る誤動作防止装置の構成例を示している。
図２に示す誤動作防止装置は、二次電池（例えば、リチウムイオン電池）１の出力電圧をデジタル化するＡＤＣ６と、二次電池１の電圧値からクリティカルサスペンドを検出するクリティカルサスペンド検出回路７と、ＡＣアダプタ３による二次電池１の充電を検出するＡＣアダプタ検出回路８と、ＡＣアダプタ３による二次電池１の充電時間を監視するＡＣアダプタ充電時間監視回路９と、ＡＤＣ６から通知される電圧値とＡＣアダプタ充電時間監視回路９からのシステム起動許可信号とに応じて電源制御を行なう電源制御部１０と、を備えている。
【００２３】
なお、二次電池１とＡＣアダプタ３とは所定の回路（例えば、レギュレータ等）を介して接続されて充電が行なわれるが、ＡＣアダプタ３による二次電池１の一般的な充電処理のための装置構成であるので詳細な説明は省略する。
【００２４】
ＡＤＣ６は、二次電池１の出力電圧をデジタル化する通常のＡ／Ｄ変換回路である。デジタル化された二次電池１の出力電圧値は、電源制御部１０に通知される。
クリティカルサスペンド検出回路７は、二次電池１の出力電圧と所定の基準電圧（以下、「クリティカルサスペンド検出基準電圧」という）とを入力とするコンパレータで構成される。そして、二次電池１の出力電圧がクリティカルサスペンド検出基準電圧より小さい場合にＡＣアダプタ充電時間監視回路９に通知する。
【００２５】
なお、クリティカルサスペンドは、システムが動作可能な最小限の電圧を二次電池の出力電圧が下回る場合に行なう必要があるので、クリティカルサスペンド検出基準電圧には、システムが動作可能な最小限の電圧を設定すればよい。
【００２６】
ＡＣアダプタ検出回路８は、ＡＣアダプタ３の出力電圧と所定の基準電圧（以下、「ＡＣアダプタ検出基準電圧」という）とを入力とするコンパレータで構成される。そして、ＡＣアダプタ３の出力電圧がＡＣアダプタ検出基準電圧より大きい場合にＡＣアダプタ検出信号（充電検出信号）を生成しＡＣアダプタ充電時間監視回路９に通知する。
【００２７】
例えば、二次電池１の定格電圧が４．２［Ｖ］の場合には、ＡＣアダプタ３によって二次電池１に５．０［Ｖ］の電圧を印加して充電するのが一般的である。この場合、ＡＣアダプタ検出基準電圧として５．０［Ｖ］を予め設定し、ＡＣアダプタ３の出力電圧がＡＣアダプタ検出基準電圧以上の場合にＡＣアダプタ検出信号を生成すればよい。
【００２８】
ＡＣアダプタ充電時間監視回路９は、ＡＣアダプタ検出回路８からＡＣアダプタ検出信号が入力されると、所定の時間カウントを行なう。そして、クリティカルサスペンド検出回路７からのクリティカルサスペンド検出信号がある場合には、電源制御部１０に対してシステム起動許可信号を出力する。なお、ＡＣアダプタ充電時間監視回路９がカウントする所定の時間は、例えば、ＡＣアダプタ３によって確実に二次電池１が充電される時間を予め統計的に計測して得た時間を使用すればよい。
【００２９】
電源制御部１０は、二次電池の特性を表す特性テーブルを備え、ＡＤＣ６から二次電池の電圧値が通知されると、特性テーブルを参照して電池残量を取得する。そして、この電池残量とシステムが安定して動作可能な電池残量（以下、「動作電池残量」という）とを比較し、電池残量が動作電池残量以上であり、かつＡＣアダプタ充電時間監視回路９からシステム起動許可信号がある場合には二次電池１が十分に充電されていると判断し、システム電源をＯＮ状態とすることを可能とする。
【００３０】
図３は、本発明に係るＡＣアダプタ充電時間監視回路９の具体的な構成例を示している。
図３に示すＡＣアダプタ充電時間監視回路９は、クロック信号を生成する発振器１１と、この発振器１１からのクロック信号をカウントするカウンタ回路１２と、カウンタ回路１２からの信号とラッチ回路１４からの信号の論理和をとるゲート回路１３と、クリティカルサスペンド検出回路７からのクリティカルサスペンド検出信号をラッチするラッチ回路１４と、ゲート回路１２からのシステム起動許可信号をラッチするラッチ回路１５と、を備えている。
【００３１】
発振器１１は、所定の周波数を有するクロック信号を生成する一般的な発振回路である。
カウンタ回路１２は、発振器１１からのクロック信号と、ＡＣアダプタ検出回路８からのＡＣアダプタ検出信号と、を入力とし、ＡＣアダプタ検出を示すＡＣアダプタ検出信号が入力されている間は、発振器１１からのクロック信号に応じてカウントを行なう。
【００３２】
また、カウンタ回路１２は、カウント値が所定の値に達すると、ゲート回路１３に対してハイレベル信号を出力する。
したがって、カウンタ回路１２は、ＡＣアダプタ検出回路８からのＡＣアダプタ検出信号によってＡＣアダプタ３による二次電池１の充電を検出すると、発振器１１で生成するクロック信号に応じて所定のカウント値までカウントを行ない、所定のカウント値に達するとゲート回路１３に対してハイレベル信号を出力する。
【００３３】
ゲート回路１３は、カウンタ回路１２からの出力信号と、ラッチ回路１４からの出力信号と、の論理和をとる論理回路である。したがって、ラッチ回路１４からの信号、すなわち、クリティカルサスペンド検出回路７からのクリティカルサスペンド検出信号と、カウンタ回路１２からの出力信号と、がいずれもハイレベルの場合に、ハイレベル信号（システム起動許可信号）をラッチ回路１５に出力する。
【００３４】
ラッチ回路１４は、Ｄフリップフロップで構成され、クリティカルサスペンド検出回路７からのクリティカルサスペンド検出信号をラッチしてゲート回路１３に出力する。また、ラッチ回路１４は、ラッチ回路１５の出力信号をリセット信号として使用する。
【００３５】
したがって、ラッチ回路１５からシステム起動許可信号が出力されると、ラッチ回路１４から出力されるクリティカルサスペンド検出信号はリセットされることとなる。
ラッチ回路１５は、Ｄフリップフロップで構成され、ゲート回路１３の出力信号をラッチして電源制御部１０に出力する。また、ラッチ回路１５は、クリティカルサスペンド検出回路７からのクリティカルサスペンド検出信号をリセット信号として使用する。
【００３６】
したがって、クリティカルサスペンド検出回路７がクリティカルサスペンドを検出すると、ラッチ回路１５から出力されるシステム起動許可信号はリセットされることとなる。
例えば、システムがクリティカルサスペンドとなると、クリティカルサスペンド検出回路７がクリティカルサスペンド検出信号（ハイレベル信号）をラッチ回路１４に出力する。
【００３７】
一方、クリティカルサスペンド検出回路７からのクリティカルサスペンド検出信号は、ラッチ回路１５にクリア信号として入力されるので、ラッチ回路１５にラッチされているデータがクリアされる。すなわち、システム起動許可信号がクリアされ、電源制御部１０はシステムが起動しないように制御することとなる。
【００３８】
また、使用者がＡＣアダプタ３による二次電池への充電を開始すると、ＡＣアダプタ検出回路８がＡＣアダプタ３による二次電池への充電を検出し、ＡＣアダプタ検出信号としてハイレベル信号をカウンタ回路１２に出力する。
【００３９】
カウンタ回路１２は、ＡＣアダプタ検出信号によりリセットされると共に、発振器１１からのクロック信号のカウントを開始する。そして、所定のカウント値に到達すると、ゲート回路１３に対してハイレベル信号を出力する。
【００４０】
この時、カウンタ回路１２からの出力信号とラッチ回路１５からの出力信号はハイレベル信号であるので、ゲート回路１３からの出力信号もハイレベル信号となる。すなわち、システム起動許可信号がゲート回路１３からラッチ回路１５に出力される。
【００４１】
そして、ラッチ回路１５から電源制御部１０に対してシステム起動許可信号が出力されることとなる。
また、ラッチ回路１５の出力信号は、ラッチ回路１４にクリア信号として入力されるので、ラッチ回路１４にラッチされているデータがクリアされる。
【００４２】
なお、図３に示したＡＣアダプタ充電時間監視回路９は、ラッチ回路１４及び１４を内部に含んでいる構成を示したが、これに限定する趣旨ではなく、ＡＣアダプタ充電時間監視回路９の外部にあってもよいのは当然である。
【００４３】
図４は、本実施例に係る誤動作防止装置の処理を示すフローチャートである。
ステップＳ３０１において、システムがクリティカルサスペンドとなると、クリティカルサスペンド検出回路７は、クリティカルサスペンドを検出し、ＡＣアダプタ充電時間監視回路９に対してクリティカルサスペンド検出信号を出力する。
【００４４】
クリティカルサスペンドに入っているシステムを復旧するために、例えば、使用者等は、ＡＣアダプタ３による二次電池１の充電を開始する。
この時、ステップＳ３０２において、ＡＣアダプタ検出回路８は、ＡＣアダプタ３の出力電圧と所定の基準電圧との比較結果からＡＣアダプタ３による二次電池１の充電を検出する。また、ＡＣアダプタ３による二次電池１の充電を検出しない場合には、ステップＳ３０２を繰返す。
【００４５】
例えば、定格電圧が４．２［Ｖ］の二次電池の場合には、所定の基準電圧に５．０［Ｖ］を用いてＡＣアダプタ３の出力電圧と比較する。そして、ＡＣアダプタ３の出力電圧が基準電圧以上であればアダプタ検出信号（ハイレベル信号）をＡＣアダプタ充電時間監視回路９のラッチ回路１４に出力する。
【００４６】
ステップＳ３０３において、ＡＣアダプタ３による二次電池１の充電を検出すると、ＡＣアダプタ充電時間監視回路９は、所定の時間（本実施例では２０分）をカウントする（ステップＳ３０３を繰返す）。そして、所定の時間を経過すると、ＡＣアダプタ充電時間監視回路９は、電源制御部１０にシステム起動許可信号を出力する。
【００４７】
ステップＳ３０４において、電源制御部１０は、ＡＣアダプタ充電時間監視回路９からシステム起動許可信号が入力されると、特性テーブルを参照し、ＡＤＣ６から入力される二次電池１の電圧値に応じた二次電池の電池残量を取得する。
そして、取得した電池残量値が所定の値（例えば、電池容量の３０％）以上である場合に、二次電池電圧値が回復したと判断する。
【００４８】
また、取得した電池残量値が所定の値（例えば、電池容量の３０％）未満である場合には、二次電池電圧値が回復していないと判断し、処理をステップＳ３０２に移行して、ステップＳ３０２〜Ｓ３０４の処理を繰返す。
【００４９】
そして、使用者等が電源スイッチ等からシステムに電源を投入すると、ステップＳ３０４において、電源制御部１０がシステムに電源を投入してシステムが起動する（ステップＳ３０５）。
【００５０】
以上に説明したように、二次電池への十分な充電が完了していないと電源制御部１０がシステムへの電源投入を行わないので、ＡＣアダプタからの充電を止めてシステムを起動しようとしても直ちにクリティカルサスペンドとなる。したがって、クリティカルサスペンド後に不十分な充電しか行われていない二次電池から電源供給されてシステムが低電圧状態となり中途半端な動作をすることによる誤動作を防止することが可能となる。
【００５１】
また、ＡＣアダプタ充電時間監視回路９は、ＡＣアダプタ３から供給される電力によって動作する回路なので、二次電池の消費電流に全く影響を与えることなくシステムが低電圧状態で中途半端な動作をすることによる誤動作を防止することが可能となる。
【００５２】
図５は、図２に示した誤動作防止装置の変形例を示す図である。なお、本発明に係る安定電圧検出手段は、以下に示すコンパレータ２０で実現される。また、本発明に係る通知手段は、以下に示すゲート回路２１とＬＥＤ２２とで実現される。
【００５３】
図５に示す誤動作防止装置は、二次電池１の出力電圧を基準電圧と比較して安定電圧か否かを判別するコンパレータ２０と、二次電池１の電圧値からクリティカルサスペンドを検出するクリティカルサスペンド検出回路７と、ＡＣアダプタ３による二次電池１の充電を検出するＡＣアダプタ検出回路８と、ＡＣアダプタ３による二次電池１の充電時間を監視するＡＣアダプタ充電時間監視回路９と、ＡＣアダプタ充電時間監視回路９からの信号とコンパレータ２０からの信号との論理和をとる論理演算回路のゲート回路２１と、ゲート回路２１からの信号に応じて点灯するＬＥＤ２２と、を備えている。
【００５４】
コンパレータ２０は、二次電池１の出力電圧と所定の基準電圧（以下、「安定基準電圧」という）とを比較し、二次電池１が安定基準電圧以上の場合に、電圧安定信号をゲート回路２１に対して出力する。
【００５５】
なお、安定基準電圧は、二次電池の電圧計測結果と電池特性とから統計的に決定すればよい。例えば、特性テーブルから電池容量の５０％に対応する電圧を安定基準電圧として使用すればよい。
【００５６】
ゲート回路２１は、ＡＣアダプタ充電時間監視回路９からの出力信号と、コンパレータ２０からの電圧安定信号と、の論理和をとる論理回路である。したがって、ＡＣアダプタ充電時間監視回路９からのシステム起動許可信号と、コンパレータ２０からの電圧安定信号と、がいずれもハイレベルとなるとゲート回路２１の出力もハイレベルとなるので、赤色の点灯しているＬＥＤ２２が消灯することとなる。
【００５７】
すなわち、二次電池が安定基準電圧以上となり、かつＡＣアダプタ３により所定の時間充電した場合にのみＬＥＤ２２が消灯し、使用者に対してＡＣアダプタ３の取り外しが可能となったことを認識させることが可能となる。
【００５８】
また、ＡＣアダプタ充電時間監視回路９からのシステム起動許可信号と、コンパレータ２０からの出力信号と、のいずれか一方又は両方の信号がハイレベル信号でない場合には、ゲート回路２１の出力信号はローレベル信号となるので、ＬＥＤ２２が点灯し続け、使用者に対してＡＣアダプタ３が取り外し禁止であることを認識させることが可能となる。
【００５９】
したがって、本実施例においても、十分に電池残量がある場合のみシステム電源をＯＮ状態にすることが可能となるので、より簡易な構成によってクリティカルサスペンドからの復帰時に電池残量不足に起因した電子機器の誤動作を防止することが可能となる。
【００６０】
なお、図５では使用者への通知手段としてＬＥＤ２２を使用しているがシステム電源の投入が可能か否か等の状態を表示するステータスＬＣＤ（Ｌｉｑｕｉｄ  Ｃｒｙｓｔａｌ  Ｄｉｓｐｌａｙ）や音源回路を使用してもよい。
【００６１】
（付記１）  二次電池の低電圧検出要因による電子機器の動作停止状態における前記二次電池の充電時間を計測する充電時間監視手段と、前記二次電池の電池残量が所定の電池残量以上で、充電計測時間が所定時間を経過した場合にシステムに電源を供給する電源制御手段と、を備えることを特徴とする誤動作防止装置。
（付記２）  前記充電時間監視手段は、前記二次電池の充電計測時間が所定の時間を経過するとシステム起動許可信号を出力し、前記電源制御手段は、前記二次電池の電池残量が所定の電池残量以上、かつ、前記システム起動許可信号を検出した場合にシステムに電源を供給することを特徴とする付記１記載の誤動作防止装置。
（付記３）  前記二次電池の電圧値を検出する電圧検出手段と、前記二次電池の電圧値と電池残量との関係を示す特性テーブルを備え、前記電源制御手段は、前記特性テーブルを参照し前記電圧検出手段によって検出された電圧時の電池残量を取得することを特徴とする付記１記載の誤動作防止装置。
（付記４）  前記充電時間監視手段は、前記二次電池の電圧値から前記動作停止状態を検出すると前記電子機器が復帰するまで検出信号を出力し続ける検出手段と、ＡＣアダプタによる二次電池の充電を検出すると充電検出信号を出力する充電検出手段と、該充電検出信号が入力されている間に所定の時間までカウントすると、前記動作停止状態中であればシステム起動許可信号を出力するＡＣアダプタ充電時間監視手段と、を備えることを特徴とする付記１に記載の誤動作防止装置。
（付記５）  前記二次電池の電圧と所定の基準電圧とを入力とし、前記二次電池の電圧が前記所定の基準電圧以上となると電圧安定信号を生成する安定電圧検出手段と、該安定電圧検出手段が生成する電圧安定信号と、前記ＡＣアダプタ充電時間監視手段が生成するシステム起動許可信号と、を同時に検出した場合にはシステム起動可能であることを通知し、少なくとも一方を検出しない場合にはシステム起動が不可能であることを通知する通知手段と、を更に備えることを特徴とする付記４に記載の誤動作防止装置。
（付記６）  前記ＡＣアダプタ充電時間監視手段は、前記充電検出信号が入力されるとカウントを開始するカウンタ回路であって、所定の時間経過するとカウント完了通知信号を生成するカウンタ回路と、該カウンタ回路からのカウント完了通知信号と前記検出信号との論理和を実行して前記システム起動許可信号を生成するゲート回路と、を備えることを特徴とする付記４または５に記載の誤作動防止装置。
（付記７）  前記検出手段は、前記二次電池の電圧と所定の基準電圧とを入力とするコンパレータであって、前記二次電池の電圧が前記所定の基準電圧以下となると検出信号を生成するコンパレータで構成される、ことを特徴とする付記６に記載の誤作動防止装置。
（付記８）  前記ＡＣアダプタ充電時間監視手段は、前記ＡＣアダプタから供給される電源によって動作する、ことを特徴とする付記７に記載の誤動作防止装置。
（付記９）  前記通知手段は、前記安定電圧検出手段が生成する電圧安定信号と、前記ＡＣアダプタ充電時間監視手段が生成するシステム起動許可信号と、の論理和を実行するゲート回路と、該ゲート回路の出力端に接続されて点灯する表示器であって、前記電圧安定信号と前記システム起動許可信号とが同時に前記ゲート回路に入力されてハイレベル信号を出力すると消灯する表示器と、を備えることを特徴とする請求項５に記載の誤動作防止装置。
（付記１０）  二次電池の電圧と所定の基準電圧とを入力とし、前記二次電池の電圧が前記所定の基準電圧以上となると電圧安定信号を生成する安定電圧検出手段と、前記二次電池の電圧値から二次電池の低電圧検出要因による電子機器の動作停止状態を検出すると検出信号を出力する検出手段と、ＡＣアダプタによる二次電池の充電を検出すると充電検出信号を出力する充電検出手段と、該充電検出信号が入力されている間に所定の時間までカウントし、前記検出を検出するとシステム起動許可信号を出力するＡＣアダプタ充電時間監視手段と、該安定電圧検出手段が生成する電圧安定信号と、前記ＡＣアダプタ充電時間監視手段が生成するシステム起動許可信号と、を同時に検出した場合にはシステム起動可能であることを通知し、少なくとも一方を検出しない場合にはシステム起動が不可能であることを通知する通知手段と、を備えることを特徴とする誤動作防止装置。
（付記１１）  前記ＡＣアダプタ充電時間監視手段は、前記充電検出信号が入力されるとカウントを開始するカウンタ回路であって、所定の時間経過するとカウント完了通知信号を生成するカウンタ回路と、該カウンタ回路からのカウント完了通知信号と前記検出信号との論理和を実行して前記システム起動許可信号を生成するゲート回路と、を備えることを特徴とする付記１０に記載の誤作動防止装置。
（付記１２）  前記検出手段は、前記二次電池の電圧と所定の基準電圧とを入力とするコンパレータであって、前記二次電池の電圧が前記所定の基準電圧以下となると検出信号を生成するコンパレータで構成される、ことを特徴とする付記１１に記載の誤作動防止装置。
（付記１３）  前記通知手段は、前記安定電圧検出手段が生成する電圧安定信号と、前記ＡＣアダプタ充電時間監視手段が生成するシステム起動許可信号と、の論理和を実行するゲート回路と、該ゲート回路の出力端に接続されて点灯する表示器であって、前記電圧安定信号と前記システム起動許可信号とが同時に前記ゲート回路に入力されてハイレベル信号を出力すると消灯する表示器と、を備えることを特徴とする請求項１２に記載の誤動作防止装置。
（付記１４）  電源制御装置で行われる電子機器の誤動作防止方法であって、二次電池の低電圧検出要因による電子機器の動作停止状態における前記二次電池の充電時間を計測し、前記二次電池の電池残量が所定の電池残量以上で、充電計測時間が所定時間を経過した場合にシステムに電源を供給する、ことを特徴とする誤動作防止方法。
【図面の簡単な説明】
【００６２】
【図１】本発明に係る誤動作防止装置の原理を示す図である。
【図２】本発明に係る誤動作防止装置の構成例を示す図である。
【図３】本発明に係るＡＣアダプタ充電時間監視回路の具体的な構成例を示す図である。
【図４】本実施例に係る誤動作防止装置の処理を示すフローチャートである。
【図５】図２に示した誤動作防止装置の変形例を示す図である。
【図６】二次電池の電池電圧のみから電池残量を算出する装置の構成例を示す図である。
【符号の説明】
【００６３】
１      二次電池
２      電圧検出手段
３      ＡＣアダプタ
４      充電時間監視手段
５      電源制御手段
６      ＡＤＣ（Ａ／Ｄ  Ｃｏｎｖｅｒｔｅｒ）
７      クリティカルサスペンド検出回路
８      ＡＣアダプタ検出回路
９      ＡＣアダプタ充電時間監視回路
１０      電源制御部
１１      発振器
１２      カウンタ
１３      ゲート回路
１４      ラッチ回路
１５      ラッチ回路
２０      コンパレータ
２１      ゲート回路
２２      ＬＥＤ
【図１】
2007074866.tif 000003
【図２】
2007074866.tif 000004
【図３】
2007074866.tif 000005
【図４】
2007074866.tif 000006
【図５】
2007074866.tif 000007
【図６】
2007074866.tif 000008